(57)【要約】      （修正有）【課題】Ｎ２法の各要素のつながりを把握しながら要素を検討させることができる思考管理システム及び思考管理プログラムを得る。【解決手段】パソコン１は、正六角形を保存したメモリ５と、各テーマ（要素）を決めるための条件を記憶したメモリ７と、後述する思考要素関連表が記憶されるメモリ８と、正六角形読込・出力手段１０と、正六角形要素入力・読込手段１１と、条件入力・読込手段１２と、思考要素関連表作成・表示手段１３と、要素関連バー色付け制御手段１４と、印刷データ出力手段１５等を備えて、表示部１６に基準正六角形（要素番号Ｔｏ）の周囲に６個の正六角形（要素番号Ｅｉ：１、２・・６）を表示すると共に、各正六角形にテーマを入力させて生成した思考要素関連表を表示し、この思考要素関連表に基づいたメインテーマ、サブテーマに関連する４９個の要素を書き込んだ印刷単体（複数のカード又はメモ帳Ｇｉ）を印刷機２で印刷させる。【選択図】図１
2008269425.tif 000002
【特許請求の範囲】
【請求項１】
中央に正六角形を、該中央の正六角形の周囲に６個の正六角形を画面に表示すると共に、これらの正六角形に番号を割付けたＮ２法で管理し、かつこれらの正六角形に検討する要素を入力させて、思考を要素関連バーで支援する思考管理システムであって、
プリンタと、
縦軸に前記各正六角形のそれぞれの正六角形番号と前記要素欄と含む要素パラメータ欄を前記正六角形形番号順に配列し、横軸に前記要素パラメータ欄に対応させた水平線を引き、上位側の水平線から順次、下位側の各水平線及び当該水平線に対して矢印付きの第１の要素関連バーを１本づつ引くと共にこれらには偶数番号を割りあて、下位側の水平線から順次、上位側の各水平線及び当該水平線に対して矢印付きの第２の要素関連バーを１本づつ引く共にこれらには奇数番号を割りあててなる基準要素関連表を記憶した第１の記憶手段と、
第２の記憶手段と、
コンピュータが、
前記各正六角形に書き込まれた各要素と該各要素が書き込まれた正六角形番号を読み込み、該正六角形番号を有する前記基準要素関連表の要素パラメータ欄をそれぞれ引当てる手段と、
前記要素パラメータ欄が引き当てられる毎に、この要素欄に、引き当てられた要素パラメータ欄の正六角形番号を有する前記画面の正六角形番号の要素を書き込み、各正六角形の各要素が全て書き込まれたとき、要素関連表として前記第２の記憶手段に記憶する手段と、
前記第２の記憶手段に記憶された要素関連表を前記各正六角形と共に表示する手段と、
前記要素関連表の第１の要素関連バーに割りあてられた偶数番号を順次読み込み、該偶数番号の第１の要素関連バーが引かれている水平線同士の２つの要素を読み込み、この二つの要素を書き込んだカードを前記プリンタで印刷する手段と、
前記要素関連表の第２の要素関連バーに割りあてられた奇数番号を順次読み込み、該奇数番号の第２の要素関連バーが引かれている水平線同士の２つの要素を読み込み、この二つの要素を書き込んだ印刷単体を前記プリンタで印刷する手段と
を有することを特徴とする思考管理システム。
【請求項２】
前記コンピュータは、
前記画面の要素管理表の要素パラメータ欄が２つ選択されたとき、該選択順を判断し、選択が早い方の要素パラメータ欄に対応する水平線から次に選択された要素パラメータ欄の水平線につながれている第１の要素関連バー又は第２の要素関連バーを他の要素関連バーとは異なる色で色別表示する手段と
を有することを特徴とする請求項１記載の思考管理システム。
【請求項３】
前記コンピュータは、
前記画面に前記要素を決定させるための前記各正六角形に対応する条件欄を前記基準要素関連表の横軸の正六角形番号の順に表示する手段と、
を有することを特徴とする請求項１又は２記載の思考管理システム。
【請求項４】
前記コンピュータは、
前記選択された２つの要素パラメータ欄の正六角形番号を読み、この２つの正六角形番号を有する正六角形に対応する正六角形のみを前記印刷単体に透かし印刷する手段と
を有することを特徴とする請求項１、２又は３記載の思考管理システム。
【請求項５】
前記コンピュータは、
前記印刷単体を印刷するとき、該印刷単体を印刷するときの前記第１又は第２の要素関連バーに割付けられている偶数番号又は奇数番号を読み込む手段と、
前記読込んだ偶数番号又は奇数番号に関連付けられている正六角形番号を読み込み、この正六角形番号に対応する番号の条件を前記印刷単体に印刷する手段と
を有することを特徴とする請求項１、２、３又は４記載の思考管理システム。
【請求項６】
中央に正六角形を、該中央の正六角形の周囲に６個の正六角形を画面に表示すると共に、これらの正六角形に番号を割付けたＮ２法で管理し、かつこれらの正六角形に検討する要素を入力させて、思考を要素関連バーで支援する思考管理プログラムであって、
コンピュータに、
縦軸に前記各正六角形のそれぞれの正六角形番号と前記要素欄と含む要素パラメータ欄を前記正六角形形番号順に配列し、横軸に前記要素パラメータ欄に対応させた水平線を引き、上位側の水平線から順次、下位側の各水平線及び当該水平線に対して矢印付きの第１の要素関連バーを１本づつ引くと共にこれらには偶数番号を割りあて、下位側の水平線から順次、上位側の各水平線及び当該水平線に対して矢印付きの第２の要素関連バーを１本づつ引く共にこれらには奇数番号を割りあててなる基準要素関連表を第１の記憶手段に記憶させる手段、
前記各正六角形に書き込まれた各要素と該各要素が書き込まれた正六角形番号を読み込み、該正六角形番号を有する前記基準要素関連表の要素パラメータ欄をそれぞれ引当てさせる手段、
前記要素パラメータ欄が引き当てられる毎に、この要素欄に、引き当てられた要素パラメータ欄の正六角形番号を有する前記画面の正六角形番号の要素を書き込み、各正六角形の各要素が全て書き込まれたとき、要素関連表として前記第２の記憶手段に記憶させる手段、
前記第２の記憶手段に記憶された要素関連表を前記各正六角形と共に表示する手段、
前記要素関連表の第１の要素関連バーに割りあてられた偶数番号を順次読み込み、該偶数番号の第１の要素関連バーが引かれている水平線同士の２つの要素を読み込み、この二つの要素を書き込んだカードをプリンタで印刷させる手段、
前記要素関連表の第２の要素関連バーに割りあてられた奇数番号を順次読み込み、該奇数番号の第２の要素関連バーが引かれている水平線同士の２つの要素を読み込み、この二つの要素を書き込んだ印刷単体を前記プリンタで印刷させる手段
としての機能を実行させるための思考管理プログラム。
【請求項７】
前記コンピュータに、
前記画面の要素管理表の要素パラメータ欄が２つ選択されたとき、該選択順を判断し、選択が早い方の要素パラメータ欄に対応する水平線から次に選択された要素パラメータ欄の水平線につながれている第１の要素関連バー又は第２の要素関連バーを他の要素関連バーとは異なる色で色別表示させる手段
としての機能を実行させるための請求項６記載の思考管理プログラム。
【請求項８】
前記コンピュータに、
前記画面に前記要素を決定させるための前記各正六角形に対応する条件欄を前記基準要素関連表の横軸の正六角形番号の順に表示させる手段
としての機能を実行させるための請求項６又は７記載の思考管理プログラム。
【請求項９】
前記コンピュータに、
前記選択された２つの要素パラメータ欄の正六角形番号を読み、この２つの正六角形番号を有する正六角形に対応する正六角形のみを前記カードに透かし印刷させる手段
としての機能を実行させるための請求項６、７又は８記載の思考管理プログラム。
【請求項１０】
前記コンピュータに、
前記印刷単体を印刷するとき、該印刷単体を印刷するときの前記第１又は第２の要素関連バーに割付けられている偶数番号又は奇数番号を読み込みさせる手段、
前記読込んだ偶数番号又は奇数番号に関連付けられている正六角形番号を読み込み、この正六角形番号に対応する番号の条件を前記印刷単体に印刷させる手段
としての機能を実行させるための請求項６、７、８又は９記載の思考管理プログラム。
【発明の詳細な説明】
【技術分野】
【０００１】
本発明は、中央に正六角形を、この正六角形の周囲に６個の正六角形を表示して、各正六角形に思考（検討）するテーマ（要素）を入力させて、かつこれらの要素と関連を関連要素表で知らせて思考を支援する思考管理システム及び思考管理プログラムに関する。
【背景技術】
【０００２】
Ｎ２法は、１つの正六角形（基準正六角形ともいう）の周りを同じ大きさの正六角形で囲み、基準正六角形にメインテーマを書き込み、周囲の６個の各正六角形内にメインテーマから検討すべきテーマ（サブテーマ）を書き込む。
【０００３】
そして、周囲の６個の各正六角形を、基準正六角形として、同様に周囲に６個の正六角形で囲み、これらの７個の正六角形にテーマを書き込んでいく。
【０００４】
すなわち、中心にテーマ（課題・整理すべき事等）を記入し、周囲にそれを実施するための６つの要素を考える。要素を６つに絞って抽出し、面上にプロットしていくという過程が安定的な思考を生み、考えが偏らず抜けの無い思考を成果を生み出すという手法である。
【特許文献１】特開２００３−２８１１２１号公報
【発明の開示】
【発明が解決しようとする課題】
【０００５】
あるプロジェクトを実現するには各プロセスにおいて、どのような事がどこまで検討されたかを量的にも質的にも認識した上で思考決定しなければ、リーダは誤った決定をしてしまう。
【０００６】
対象のプロジェクトは、複雑なものから単純なものまである。当然、これを検討する項目は多岐に渡る。従って、列挙された項目は、その中から一部に過ぎない。これらを限られた時間のなかで一つ一つ検討していくのがよい。後から気づくより、予め考えておく方が安全で安価である。
【０００７】
ｎ２法では、Ｐｉ、Ｂｉ（Ｂｏｘｉ）、Ｔｉ（Ｔｏｏｌｉ）の項目指定で検索すれば、該等する情報のより詳細なものが得られる。
【０００８】
このプログラムでは、検索だけではなく、その内容（項目：要素）の追加更新も可能である。プロジェクトを実現するための思考活動とは、結局のところ各ｉにおける思考の量、質、連続性である。特に、連続性と各ｉのバランスが実現に大きく影響する。
【０００９】
すなわち、各要素のつながりを細かく把握しながら思考させるのがよい。
【００１０】
本発明は以上の課題を鑑みてなされたものであり、Ｎ２法の各要素のつながりを把握しながら要素を検討させることができる思考管理システム及び思考管理プログラムを得ることを目的とする。
【課題を解決するための手段】
【００１１】
本発明の思考管理システムは、中央に正六角形を、該中央の正六角形の周囲に６個の正六角形を画面に表示すると共に、これらの正六角形に番号を割付けたＮ２法で管理し、かつこれらの正六角形に検討する要素を入力させて、思考を要素関連バーで支援する思考管理システムである。
【００１２】
プリンタと、
縦軸に前記各正六角形のそれぞれの正六角形番号と前記要素欄と含む要素パラメータ欄を前記正六角形形番号順に配列し、横軸に前記要素パラメータ欄に対応させた水平線を引き、上位側の水平線から順次、下位側の各水平線及び当該水平線に対して矢印付きの第１の要素関連バーを１本づつ引くと共にこれらには偶数番号を割りあて、下位側の水平線から順次、上位側の各水平線及び当該水平線に対して矢印付きの第２の要素関連バーを１本づつ引く共にこれらには奇数番号を割りあててなる基準要素関連表を記憶した第１の記憶手段と、
第２の記憶手段と、
コンピュータが、
前記各正六角形に書き込まれた各要素と該各要素が書き込まれた正六角形番号を読み込み、該正六角形番号を有する前記基準要素関連表の要素パラメータ欄をそれぞれ引当てる手段と、
前記要素パラメータ欄が引き当てられる毎に、この要素欄に、引き当てられた要素パラメータ欄の正六角形番号を有する前記画面の正六角形番号の要素を書き込み、各正六角形の各要素が全て書き込まれたとき、要素関連表として前記第２の記憶手段に記憶する手段と、
前記第２の記憶手段に記憶された要素関連表を前記各正六角形と共に表示する手段と、
前記要素関連表の第１の要素関連バーに割りあてられた偶数番号を順次読み込み、該偶数番号の第１の要素関連バーが引かれている水平線同士の２つの要素を読み込み、この二つの要素を書き込んだカードを前記プリンタで印刷する手段と、
前記要素関連表の第２の要素関連バーに割りあてられた奇数番号を順次読み込み、該奇数番号の第２の要素関連バーが引かれている水平線同士の２つの要素を読み込み、この二つの要素を書き込んだ印刷単体を前記プリンタで印刷する手段と
を備えたことを要旨とする。
【発明の効果】
【００１３】
以上のように本発明によれば、中央の正六角形と、この周囲の６個の正六角形とに、それぞれ要素を書き込んで表示させると共に、これらの正六角形の要素に関連を示す要素関連バー付きの要素関連表を同時表示する。このため、２つの要素との関係を検討する部署であっても全体の関連が一目でわかるので、安心して与えられた要素との関係を集中的に検討できる。
【００１４】
また、要素関連表の二つの要素又は水平線が選択されると、この要素又は水平線に関連する要素と要素とを書き込んだ印刷媒体を印刷させるので、担当者は必要な検討項目を記載したカードのみを得ることができる。
【発明を実施するための最良の形態】
【００１５】
＜実施の形態＞
本願の実施の形態は、コンピュータシステム上において、リーダが主要なテーマを決め、この主要なテーマ（以下主テーマともいう）に対してサブテーマを数種類決める（本実施の形態では６種類のサブテーマ）。
【００１６】
そして、主テーマと６種のサブテーマとの関連（係わり）を示した思考関連表に基づいて各サブテーマ、主テーマとの係わりを４９個の番号で示し、この思考関連表に基づいてかかわりのある主テーマ、サブテーマを関連付けた「考え書込表」を印刷機から４９枚印刷させる。
【００１７】
この４９枚の印刷表は、サブテーマ毎に分類されている。そして、リーダは、サブテーマ毎にサブリーダを決めて、各サブリーダにわたす。各サブリーダは、自らが１枚、残りの６枚は担当者に渡して、考えを書き込みさせる。
【００１８】
これらのサブテーマ毎の「考え書込表」に書き込まれた内容を各サブリーダが取り纏めて、その結果をリーダに渡す。
【００１９】
図１は本実施の形態の思考管理システムの概略構成図である。図１に示すように、リーダのパソコン１と考え書込表等を印刷する印刷機２とを備えている。
【００２０】
パソコン１は、正六角形を保存したメモリ５と、各テーマ（要素ともいう）を決めるための条件を記憶したメモリ７と、後述する思考要素関連表が記憶されるメモリ８とを備えている。
【００２１】
また、正六角形読込・出力手段１０と、正六角形要素入力・読込手段１１と、条件入力・読込手段１２と、思考要素関連表作成・表示手段１３と、要素関連バー色付け制御手段１４と、印刷データ出力手段１５等を備えて、図１に示すように表示部１６に基準正六角形（要素番号Ｔｏ）の周囲に６個の正六角形（要素番号Ｅｉ：１、２・・６）を表示すると共に、各正六角形にテーマを入力させて生成した思考要素関連表を表示し、この思考要素関連表に基づいたメインテーマ、サブテーマに関連する４９個の要素を書き込んだ印刷単体（複数のカード又はメモ帳Ｇｉ）を印刷機２で印刷させる。
【００２２】
正六角形読込・出力手段１０は、メモリ５から基準正六角形を読み込み、これを表示部１６の所定領域に表示させ、これに要素がかきこまれたときに、正六角形要素入力・読込手段１１を起動させる。
【００２３】
正六角形要素入力・読込手段１１は、基準正六角形の周囲に６個の正六角形を表示させ、これらの周囲の正六角形に要素が入力されると、これをメモリ８の基準要素関連表に対応させて記憶すると共に思考要素関連表作成手段１３及び条件入力・読込手段１２を起動させる。
【００２４】
条件入力・読込手段１２は、各正六角形分の欄を有する条件欄を画面に表示し、この条件をメモリ７の要素に対応させる。
【００２５】
思考要素関連表作成・表示手段１３は、画面の各正六角形に入力された要素をメモリ８の基準要素関連表の横線（ラインともいう）に対応させて保存する。
【００２６】
要素関連バー色付け制御手段１４は、選択された要素同士を結ぶ関連バーを色別表示する。
【００２７】
印刷データ出力手段１５は、一覧表を表示又はカード作成表を表示し、指示に基づいてこれらを印刷機２から印字させる。
【００２８】
前述の基準要素関連表の概念は、図２に示すように、要素番号（Ｔｏ、Ｅ１、Ｅ２・・Ｅ６）と、この要素番号に対応した実際の要素（Ｔ、ｅ１、ｅ２・・・ｅ６）を書き込むための要素欄となる要素パラメータ欄Ｈｉ（Ｈｏ、Ｈ１、・・Ｈ６）に、水平線である横線Ｒｏ、Ｒ１・・・Ｒ６を対応させている。
【００２９】
また、図２においては、各横線との関連を１本の矢印で示している。この表は、予め基準要素関連表として保存されている。但し、基準要素関連表には、要素パラメータ欄Ｈｉには実際の要素は書き込まれていない。実際の要素が書き込まれたものを単に要素関連表と称する。
【００３０】
要素パラメータ欄Ｈｏに対応する横線Ｒｏ、Ｒ１・・・Ｒ６のそれぞれは、
（Ｒｏ）
横線Ｒｏは、要素Ｔと要素Ｔとの関連があることを表す要素関連バーＨａ０と、横線Ｒ０に対して一つ下の横線Ｒ１との関連（要素Ｔから要素ｅ１）があることを表す要素関連バーＨａ１と、横線Ｒ０に対して２つ下の横線Ｒ２との関連（要素Ｔから要素ｅ２）があることを表す要素関連バーＨａ２と、横線Ｒ０に対して３つ下の横線Ｒ３との関連（要素Ｔから要素ｅ３）があることを表す要素関連バーＨａ３と、横線Ｒ０に対して４つ下の横線Ｒ４との関連（要素Ｔから要素ｅ４）があることを表す要素関連バーＨａ４と、横線Ｒ０に対して５つ下の横線Ｒ５との関連（要素Ｔから要素ｅ５）があることを表す要素関連バーＨａ５と、横線Ｒ０に対して５つ下の横線Ｒ６（要素Ｔから要素ｅ６）との関連があることを表す要素関連バーＨａ６とで構成されている。
【００３１】
（Ｒ１）
横線Ｒ１は、要素ｅ１と要素ｅ１との関連を表す要素関連バーＨｂ０、横線Ｒ１に対して一つ下の横線Ｒ２との関連（要素ｅ１から要素ｅ２）があることを表す要素関連バーＨｂ１と、横線Ｒ１に対して２つ下の横線Ｒ３との関連（要素ｅ１からは要素ｅ３）があることを表す要素関連バーＨｂ２と、横線Ｒ１に対して３つ下の横線Ｒ４の関連（要素ｅ１から要素ｅ４）があることを表す要素関連バーＨｂ３と、横線Ｒ１に対して４つ下の横線Ｒ５との関連（要素ｅ１から要素ｅ５）があることを表す要素関連バーＨｂ４と、横線Ｒ１に対して５つ下にある横線Ｒ６との関連（要素ｅ１から要素ｅ６）があることを示す要素関連バーＨｂ５と、横線Ｒ１に対して一つ上にある横線Ｒｏとの関連（要素ｅ１から要素Ｔｏ）があることを示す要素関連バーＨａ１１とで構成されている。
【００３２】
（Ｒ２）
横線Ｒ２は、要素ｅ２と要素ｅ２との関連を表す要素関連バーＨｃ０、横線Ｒ２に対して一つ下の横線Ｒ３との関連（要素ｅ２から要素ｅ３）があることを表す要素関連バーＨｃ１と、横線Ｒ２に対して２つ下の横線Ｒ４との関連（要素ｅ２から要素ｅ４）があることを表す要素関連バーＨｃ２と、横線Ｒ２に対して３つ下の横線Ｒ５の関連（要素ｅ２から要素ｅ５）があることを表す要素関連バーＨｃ３と、横線Ｒ２に対して４つ下の横線Ｒ６との関連（要素ｅ２から要素ｅ６）があることを表す要素関連バーＨｃ４と、横線Ｒ２に対して１つ上にある横線Ｒ１との関連（要素ｅ２から要素ｅ１）があることを示す要素関連バーＨｂ１１と、横線Ｒ２に対して最上位置にある横線Ｒｏとの関連（要素ｅ２から要素Ｔｏ）があることを示す要素関連バーＨａ２２とで構成されている。
【００３３】
（横線Ｒ３）
横線Ｒ３は、要素ｅ３と要素ｅ３との関連を表す要素関連バーＨｄ０、横線Ｒ３に対して一つ下の横線Ｒ４との関連（要素ｅ３から要素ｅ４）があることを表す要素関連バーＨｄ１と、横線Ｒ３に対して２つ下の横線Ｒ５との関連（要素ｅ３から要素ｅ５）があることを表す要素関連バーＨｄ２と、横線Ｒ３に対して３つ下の横線Ｒ６の関連（要素ｅ３から要素ｅ６）があることを表す要素関連バーＨｄ３と、横線Ｒ３に対して１つ上の横線Ｒ２との関連（要素ｅ３から要素ｅ２）があることを表す要素関連バーＨｃ１１と、横線Ｒ３に対して２つ上にある横線Ｒ１との関連（要素ｅ３から要素ｅ１）があることを示す要素関連バーＨｂ２２と、横線Ｒ３に対して最上位置にある横線Ｒｏとの関連（要素ｅ３から要素Ｔｏ）があることを示す要素関連バーＨａ３３とで構成されている。
【００３４】
（横線Ｒ４）
横線Ｒ４は、要素ｅ４と要素ｅ４との関連を表す要素関連バーＨｅ０、横線Ｒ４に対して一つ下の横線Ｒ５との関連（要素ｅ４から要素ｅ５）があることを表す要素関連バーＨｅ１と、横線Ｒ４に対して２つ下の横線Ｒ６との関連（要素ｅ４から要素ｅ６）があることを表す要素関連バーＨｅ２と、横線Ｒ４に対して１つ上の横線Ｒ３の関連（要素ｅ４から要素ｅ３）があることを表す要素関連バーＨｄ１１と、横線Ｒ４に対して２つ上の横線Ｒ２との関連（要素ｅ４から要素ｅ２）があることを表す要素関連バーＨｃ２２と、横線Ｒ４に対して３つ上にある横線Ｒ１との関連（要素ｅ４から要素ｅ１）があることを示す要素関連バーＨｂ３３と、横線Ｒ４に対して最上位置にある横線Ｒｏとの関連（要素ｅ４から要素Ｔｏ）があることを示す要素関連バーＨａ４４とで構成されている。
【００３５】
（横線Ｒ５）
横線Ｒ５は、要素ｅ５と要素ｅ５との関連を表す要素関連バーＨｆ０、横線Ｒ５に対して一つ下の横線Ｒ６との関連（要素ｅ５から要素ｅ６）があることを表す要素関連バーＨｆ１と、横線Ｒ５に対して１つ上の横線Ｒ４との関連（要素ｅ５から要素ｅ４）があることを表す要素関連バーＨｅ１１と、横線Ｒ５に対して２つ上の横線Ｒ３の関連（要素ｅ６から要素ｅ３）があることを表す要素関連バーＨｄ２２と、横線Ｒ５に対して３つ上の横線Ｒ２との関連（要素ｅ５から要素ｅ２）があることを表す要素関連バーＨｃ３３と、横線Ｒ５に対して４つ上にある横線Ｒ１との関連（要素ｅ５から要素ｅ１）があることを示す要素関連バーＨｂ４４と、横線Ｒ５に対して最上位置にある横線Ｒｏとの関連（要素ｅ５から要素Ｔｏ）があることを示す要素関連バーＨａ５５とで構成されている。
【００３６】
（横線Ｒ６）
横線Ｒ６は、要素ｅ６と要素ｅ６との関連を表す要素関連バーＨｇｏと、横線Ｒ６に対して一つ上の横線Ｒ５との関連（要素ｅ６から要素ｅ５）があることを表す要素関連バーＨｆ１１と、横線Ｒ６に対して２つ上の横線Ｒ４との関連（要素ｅ６から要素ｅ４）があることを表す要素関連バーＨｅ２２と、横線Ｒ６に対して３つ上の横線Ｒ３の関連（要素ｅ６から要素ｅ３）があることを表す要素関連バーＨｄ３３と、横線Ｒ６に対して４つ上の横線Ｒ２との関連（要素ｅ６から要素ｅ２）があることを表す要素関連バーＨｃ４４と、横線Ｒ６に対して５つ上にある横線Ｒ１との関連（要素ｅ６から要素ｅ１）があることを示す要素関連バーＨｂ５５と、横線Ｒ６に対して最上位置にある横線Ｒｏとの関連（要素ｅ６から要素Ｔｏ）があることを示す要素関連バーＨａ６６とで構成されている。
【００３７】
そして、図２においては、各横線Ｒｏ、Ｒ１・・Ｒ６が各横線に対して要素関連バーを引くポイントを黒印で書き込み、各黒●には番号（以下管理番号という）を振っている。
【００３８】
つまり、各横線には、番号が小さい横線から番号が大きい横線に向かって要素関連バーを引いたときの点（黒●）に番号を割り付け、逆に番号が大きい横線から番号が小さい横線に向かって要素関連バーを引いたときの横線上の点に番号を割り付けている。
【００３９】
つまり、各横線には７個の番号が割り付けられ、合計で４９個の管理番号が割り付けられている。番号の割付は、横線の番号が小さい方から大きい番号の横線に向かう要素関連バーには偶数を、逆に番号が大きい横線から番号が小さい横線に向かって要素関連バーには奇数を割り付けている。
【００４０】
これらの管理番号及び横線並びに要素が書き込まれる正六角形の番号は関連番号−要素組合テーブルで予め管理されている。
【００４１】
図３及び図４は関連番号−要素組合テーブル（要素関連テーブルともいう）を説明する説明図である。図３に示すように、関連番号−要素組合テーブル２０は、ライン番号Ｒｏの要素関連テーブル２１ａと、ライン番号Ｒ１の要素関連テーブル２１ｂと、ライン番号Ｒ２の要素関連テーブル２１ｃと、ライン番号Ｒ３の要素関連テーブル２１ｄと、ライン番号Ｒ４の要素関連テーブル２１ｅと、ライン番号Ｒ５の要素関連テーブル２１ｆと、ライン番号Ｒ６の要素関連テーブル２１ｇとから構成されている。
【００４２】
また、関連番号−要素組合テーブル２０は、図４に示すようにライン番号Ｒ６の要素関連テーブル２２ａと、ライン番号Ｒ５の要素関連テーブル２２ｂと、ライン番号Ｒ４の要素関連テーブル２２ｃと、ライン番号Ｒ３の要素関連テーブル２２ｄと、ライン番号Ｒ２の要素関連テーブル２２ｅと、ライン番号Ｒ１の要素関連テーブル２２ｆと、ライン番号Ｒ０の要素関連テーブル２２ｇとで構成されている。
【００４３】
これらの要素関連テーブルは、ライン番号Ｒｏ、Ｒ１、・・Ｒ６に対応した正六角形番号が対応させられている。また、横線（ライン）に割り付けられている管理番号が対応させられている。さらに、管理番号には、要素（要素番号）のつながりが対応させられ、管理番号の意味を知らせている。また、ライン番号、正六角形の番号には実際に入力された要素が書き込まれる欄Ｋｉ（Ｋｏ、Ｋ１、Ｋ２・・・Ｋ６、Ｋ７・・・Ｋ１３）を対応させている。
【００４４】
（動作説明）
図５は本実施の形態の思考管理システムの動作を説明するフローチャートである。
【００４５】
初めにコンピュータは、基準の正六角形、基準要素関連表等をメモリに読み込みする初期設定を行う（Ｓ１）。
【００４６】
次に、正六角形読込・出力手段１０は、メモリ５から正六角形を読み出して、これを表示部１６に表示させる（Ｓ２）。
【００４７】
本実施の形態では、初めに表示された正六角形を基準正六角形と称し、要素番号Ｔｏで管理される。
【００４８】
次に、正六角形要素入力・読込手段１１は、表示部１６の基準正六角形にテーマＴ（要素Ｔ）が入力されたかどうかを監視する（Ｓ３）。
【００４９】
ステップＳ３において、テーマＴ（要素Ｔ）が入力されたと判定したときは、基準正六角形（要素番号Ｔｏ）に入力された要素Ｔを、関連番号−要素組合テーブル２０のライン番号Ｒｏの要素関連テーブル２１ａの実際の要素欄Ｋｏに書き込む（Ｓ４）。この要素Ｔは、メモリ７に記憶されている要素Ｍｏを選択させてもよい。
【００５０】
本実施の形態では、要素番号Ｔｏの基準正六角形には「イラク戦争」と入力され、要素欄Ｋｏにも「イラク戦争」と書き込まれる（図６参照）。
【００５１】
次に、正六角形要素入力・読込手段１１は、図６に示すように基準正六角形（要素番号Ｔｏ）の周囲に６個の正六角形を表示させることでＮ２法表示を行う（Ｓ５）。これらの周囲の正六角形には予め要素番号が割付けられている（Ｅ１、・・・Ｅ６）。
【００５２】
また、条件入力・読込手段１２は、要素番号Ｔｏに要素が入力されると、多面的に検討させるための項目（本実施の形態では条件Ｂｉという）を入力させるための条件欄Ｚｉを表示して条件Ｂｉを入力させる（Ｓ６）。
【００５３】
例えば、図７に示すように、第１の条件欄には「戦争について」、第２の条件欄には「侵略側について」、第３の条件欄には「食料について」、第４の条件欄には「周辺諸国との関係について」、第５の条件欄には「経済について」、第６の条件欄には「宗教との関係について」、第７の欄には「武器について」と入力されたとする。また、この条件Ｂｉは予めメモリ７に要素と対応させられて保存されている場合もある。また、本実施の形態では、ステップ６において条件Ｂｉの入力を示しているが初期設定で入力させてもよい。
【００５４】
次に、正六角形要素入力・読込手段１１は、要素の入力方法を選択させるための画面（図示せず）を開く（Ｓ７）。この画面は予め記憶されている要素を選択して入力させるかを決める選択ボタンと、手入力で要素を入力させるかを決めるボタン等からなる。
【００５５】
次に、正六角形要素入力・読込手段１１は、選択入力かどうかを判断する（Ｓ８）。ステップＳ８において、選択入力と判定したときは、予めメモリ７に記憶されている条件Ｂｉに対応する要素Ｍｉ（Ｍｏ、Ｍ１、Ｍ２・・・Ｍ６）を読み込み、画面に順次表示させる（Ｓ９）。
【００５６】
例えば、要素Ｍｏは複数記憶（ｍｏａ、ｍｏａ・・）され、これらを順次表示させて選択させる。選択された場合は、次の要素Ｍ１（複数）を表示させて、いずれかを選択させて、次の要素Ｍ２を表示させるという手法をとっている。本実施の形態では、ステップＳ３で入力させたとしている。
【００５７】
ステップＳ９においては、要素Ｍ１は複数記憶（ｍ１ａ、ｍ２ａ・・）され、これらを順次表示させて選択させる。選択された場合は、次の要素Ｍ２（複数）を表示させて、いずれかを選択させて、次の要素Ｍ３を表示させるという手法をとっている。
【００５８】
次に、この画面に表示した要素Ｍｉの選択かどうかを判断する（Ｓ１０）。要素が選択されたときは、選択順に画面の正六角形に書き込みする（Ｓ１１）。このとき、書き込みが可能な要素番号の正六角形に書き込みさせる。他の正六角形は書き込み不可にして、１個が書き込みされると、次の番号の正六角形を書き込み可とするのが好ましい。
【００５９】
次に、思考要素関連表作成・表示手段１３は、画面に表示された各正六角形の各要素Ｔ、ｅｉ（Ｍｏ、Ｍ１、・・・Ｍ６又はｋｏ、ｋ１・・ｋ６）を読み込み、各正六角形の番号（Ｔｏ、Ｅ１・・・Ｅ６）を有する要素関連テーブルを引当て、この要素関連テーブルに正六角形に書き込まれた実際の要素を欄Ｋｉに書き込む（Ｓ１２）。
【００６０】
例えば、図７に示すように、条件欄Ｚｉの第１の条件欄には「戦争について」、第２の条件欄には「侵略側について」、第３の条件欄には「食料について」、第４の条件欄には「周辺諸国との関係について」、第５の条件欄には「経済について」、第６の条件欄には「宗教との関係について」、第７の欄には「武器について」と入力された場合において、Ｔｏの番号の正六角形には「イラク戦争」と入力され、Ｅ１の正六角形には「アメリカ」と入力され、Ｅ２の正六角形には「パン」と入力され、Ｅ３の正六角形には「イラン」と入力され、Ｅ４の正六角形には「石油」と入力され、Ｅ５の正六角形には「クルド人」と入力され、「核ミサイル」と入力されたとする。
【００６１】
思考要素関連表作成・表示手段１３は、正六角形の番号Ｔｏの「イラク戦争」を要素ｋｏとしてライン番号Ｒｏの要素関連テーブル２１ａの実際の要素欄Ｋｏに書き込みする。
【００６２】
また、正六角形の番号Ｅ１の「アメリカ」を要素ｋ１としてライン番号Ｒ１の要素関連テーブル２１ｂの実際の要素欄Ｋ１に書き込む。
【００６３】
また、正六角形の番号Ｅ２の「パン」を要素ｋ２としてライン番号Ｒ２の要素関連テーブル２１ｃの実際の要素欄Ｋ２に書き込む。
【００６４】
また、正六角形の番号Ｅ３の「イラン」を要素ｋ３としてライン番号Ｒ３の要素関連テーブル２１ｄの実際の要素欄Ｋ３に書き込む。
【００６５】
また、正六角形の番号Ｅ４の「石油」を要素ｋ４としてライン番号Ｒ４の要素関連テーブル２１ｅの実際の要素欄Ｋ４に書き込む。
【００６６】
正六角形の番号Ｅ５の「クルド人」を要素ｋ５としてライン番号Ｒ５の要素関連テーブル２１ｆの実際の要素欄Ｋ５に書き込む。
【００６７】
さらに、正六角形の番号Ｅ６の「核ミサイル」を要素ｋ６としてライン番号Ｒ６の要素関連テーブル２１ｆの実際の要素欄Ｋ６に書き込む。
【００６８】
一方、図３の各テーブルのライン番号に対応する図４のライン番号の各テーブルには、図３と同様に要素を書き込む。
【００６９】
図４のライン番号Ｒ６には要素ｋ６、ライン番号Ｒ５には要素ｋ５を、ライン番号Ｒ４には要素ｋ４を、ライン番号Ｒ３には要素ｋ３を、ライン番号Ｒ２には要素ｋ２をライン番号Ｒ１には要素ｋ１を書き込む。
【００７０】
また、正六角形要素入力・読込手段１１がステップＳ８において、手入力と判定したときは、番号Ｔｏ、Ｅｉ（Ｅ１・・Ｅ６）の正六角形に要素Ｔ、ｅｉが入力したかどうかを判定する（Ｓ１３）。
【００７１】
ステップＳ１３において、手入力によって各正六角形に要素Ｔ、ｅｉが入力されたと判定したときは、ステップＳ１２に進んで、上記と同様に、思考要素関連表作成・表示手段１３は、画面に表示された各正六角形の各要素Ｔ、ｅｉ（Ｍｏ、Ｍ１、・・・Ｍ６又はｋｏ、ｋ１・・ｋ６）を読み込み、各正六角形の番号（Ｔｏ、Ｅ１・・・Ｅ６）を有する要素関連テーブルを引当て、この要素関連テーブルに正六角形に書き込まれた実際の要素を欄Ｋｉに書き込む。
【００７２】
一方、画面において、要素関連表示ボタン（図示せず）が選択されたときは思考要素関連表作成・表示手段１３は以下の処理を行う。
【００７３】
図８は思考要素関連表作成・表示手段１３の動作を説明するフローチャートである。
【００７４】
思考要素関連表作成・表示手段１３は、思考要素関連表表示かどうかを判定する（Ｓ２０）。
【００７５】
ステップＳ２０において、思考要素関連表表示と判定したときは、基準要素関連表を表示させる（Ｓ２１）。
【００７６】
次に、要素関連表作成・表示手段１３が要素関連テーブルの各ラインに関連付けられている実際の要素Ｔｏ、ｅｉ（Ｍｏ、Ｍ１、・・・Ｍ６又はｋｏ、ｋ１・・ｋ６）を読み込み、基準要素関連表の対応するライン番号の要素欄に要素を書き込みして要素関連表として表示する（Ｓ２２、Ｓ２３）。要素関連表は具体的には図９に示すように表示される。従って、一目で各要素との関連がわかる。
【００７７】
一方、要素関連バー制御手段１４は、優先表示ボタン（図示せず）が選択されたかどうかを判定する（Ｓ２４）。ステップＳ２４で優先表示ボタンが選択された場合は、２つの要素又は２本のラインを選択させる。例えば、２つの要素が選択されると、この２つの要素と、該２つの要素に関連するラインを検索し、この２つのラインとを結ぶ要素関連バーとを例えば赤色で表示する。
【００７８】
また、２本のラインが選択された場合は、この２本のラインに関連する２つの要素を赤色で表示すると共に、２つのラインを結ぶ要素関連バーを赤色で表示する（Ｓ２５）。
【００７９】
また、要素関連表作成・表示手段１３は、画面の一覧表表示ボタン（図示せず）が選択されると以下の処理を行う。
【００８０】
図１０は一覧表示を説明するフローチャートである。要素関連表作成・表示手段１３は図１０に示すように一覧表示かどうかを判定する（Ｓ３０）。
【００８１】
ステップ３０において一覧表示と判定したときは、要素関連表を引き当てる（Ｓ３１）。そして、この要素関連表の各要素関連テーブルの番号を設定する（Ｓ３２）。例えば、要素関連テーブル２１ａの番号Ｒｉ（Ｒｏ）を設定する。
【００８２】
次に、設定した番号Ｒｉの要素管理テーブルの管理番号ｒｉを設定する（Ｓ３３）。Ｒｏの要素管理テーブルの場合は、管理番号ｒｉは「１」と設定する。
【００８３】
次に、設定された管理番号ｒｉにリンク付けされている，つながりのある２つのライン番号Ｒｉ、Ｒｉとを読み込み、この２つのライン番号の要素関連テーブルを引き当てる（Ｓ３４）。
【００８４】
例えば、要素管理テーブルの番号がＲｏで管理番号ｒｉが「１」の場合は、リンク付けされているライン番号はＲｏとＲｏとである。
【００８５】
要素管理テーブルの番号がＲｏで管理番号ｒｉが「２」の場合は、リンク付けされているライン番号はＲ１とＲ２とである。
【００８６】
要素管理テーブルの番号がＲｏで管理番号ｒｉが「１」の場合は、リンク付けされているライン番号はＲｏとＲｏとである。
【００８７】
また、要素管理テーブルの番号がＲ１で管理番号ｒｉが「１４」の場合は、リンク付けされているライン番号はＲ１とＲ１とである。
【００８８】
要素管理テーブルの番号がＲ１で管理番号ｒｉが「１５」の場合は、リンク付けされているライン番号はＲ１とＲ２とである。
【００８９】
そして、この２つのライン番号を有する２つの要素管理テーブルに書き込まれている実際の要素を読み込み、一覧表の管理番号ｒｉに対応させて書き込む（Ｓ３６）。一覧表のフォームは、予め記憶されており、管理番号が正順にならべられ、この管理番号に２つの要素が書き込まれ、かつメモなどが書き込まれる欄、色付け欄、正六角形欄等からなっている（図１１参照）。
【００９０】
そして、番号Ｒｉの要素管理テーブルに他に管理番号ｒｉがあるかどうかを判定する（Ｓ３６）。ステップＳ３６で他に管理番号がある場合は、管理番号ｒｉの欄を次の欄更新して処理をステップＳ３３に戻す（Ｓ３７）。図３においては、管理番号「１」の隣欄は「２」であるから「２」の欄に更新される。
【００９１】
次に、要素管理テーブルは他にあるかどうかを判断する（Ｓ３８）。ステップＳ３８で他に要素管理テーブルがあると判定したときは、要素管理テーブルの番号を更新して処理をステップＳ３２に戻す（Ｓ３９）。
【００９２】
また、ステップＳ３８で要素管理テーブルが他にないと判定したときは、管理番号に対応した２つの要素が書き込まれた一覧表を表示する（Ｓ４０）。
【００９３】
この一覧表の一例を図１１に示している。つまり、管理番号「１」には「イラク戦争」と「イラク戦争」が対応させられて表示され、管理番号「２」には「イラク戦争」と「アメリカ」とが対応させられて表示され、管理番号「３」には「アメリカ」と「イラク戦争」とが対応して表示される。
【００９４】
また、管理番号「４」には「イラク戦争」と「パン」が対応させられて表示され、管理番号「５」には「パン」と「イラク戦争」とが対応させられて表示され、管理番号「６」には「イラク戦争」と「イラン」とが対応して表示される。また、管理番号「７」には「イラン」と「イラク戦争」が対応させられて表示され、管理番号「８」には「イラク戦争」と「石油」とが対応させられて表示される。
【００９５】
さらに、要素関連表作成・表示手段１３は正六角形表示機能を有している。正六角形表示機能は、一覧表の管理番号に対応する正六角形表示欄を備え、この正六角形表示欄に各正六角形を表示すると共に、要素関連テーブルの管理番号に対応するつながりの２つの正六角形の番号を読み、この番号の正六角形を色表示する。また、重要度を決める欄を備え、色の指定で重要度が判断できる。つまり、要素関連バー制御手段２４が管理番号のバーがこの指定の色で表示させることが可能である。なお、一覧表には、メモ欄が設けられ、このメモ欄に条件を読み込んで書き込むのが好ましい。管理番号「１」には「戦争について」の条件を書き込む。管理番号「２」には侵略側について、管理番号「３」には食料について、管理番号４には、周辺諸国との関係という具合に書き込む。
【００９６】
また、図１０に示す一覧表には条件欄が設けられており、この条件欄には、要素を組合せしたときの条件が読み出されて書き込まれる。さらに、組合せコード欄が設けられ、管理番号に対しての組合せる管理番号が読み出されて書き込まれる。
【００９７】
さらに、カードボタン又はメモボタンが選択されたときは、印刷データ出力手段１５が以下に説明する処理を行う。
【００９８】
図１２は印刷データ出力手段１５の動作を説明するフローチャートである。図１２に示すように、印刷データ出力手段１５はカード印刷かどうかを判定する（Ｓ４０）。
【００９９】
ステップＳ４０において、カード印刷と判定したときは、一覧表のレコード番号を設定する（Ｓ４１）。次に、この一覧表のレコード番号の要素と要素とメモ欄に書き込まれた条件とを読み出して、印刷表テーブル（図示せず）に書き込む（Ｓ４２）。
【０１００】
そして、この印刷テーブルに基づいた印刷カード画面（図１３参照）を表示する（Ｓ４３）。この印刷カード画面の各カード画面には、７個の正六角形が表示され、かつ透かしで要素と要素との関係がわかるように色が付けられている。２つの要素（基準と選択された要素）のみを透かし表示してもよい。このとき、
印刷が選択されたかどうかを判定する（Ｓ４４）。ステップＳ４４において印刷が選択されたときは、印刷表テーブルのデータを読み出して印刷させる（Ｓ４５）。印刷されたカード表は図１４に示す。つまり、印刷されたカード表の各カード欄には、要素と要素、この要素を決めたときの条件、並びに透かしでこのカードで検討する要素が全体でどのような位置関係にあるかが分かるようにしている。
【０１０１】
さらに、メモボタンが選択されたかどうかを判定する（Ｓ５０）。
【０１０２】
メモボタンが選択されたときは、関連表の管理番号ｒｉが入力されたかどうかを判定する（Ｓ５１）。
【０１０３】
ステップＳ５１において、管理番号ｒｉが入力されたと判定したときは、この管理番号ｒｉに対応する要素と要素とを要素関連テーブルから読み込む（Ｓ５２）。そして、図１５に示すようなメモ帳画面を表示させる（Ｓ５３）。このメモ帳画面は、テーマ欄と、要素と要素欄と新たな条件欄と、文章書き込み欄等からなる。
【０１０４】
次に、新しい条件が入力させる（Ｓ５４）。例えば、テーマがイラク戦争で、管理番号に対応した要素がアメリカとイランの場合においては、「うまくいっていたとき」と入力する。そして、このメモ帳画面を印刷させる（Ｓ５５）。
【０１０５】
この印刷されたメモ帳を各サブリーダが纏めて、編集してリーダに届ける。
【０１０６】
なお、上記のような思考関連表作成システムを１台のパソコンと印刷機とで構成するシステムとしたが、図１６に示すように、複数のパソコンを繋げてネットワークで構成してもよい。
【０１０７】
例えば、リーダは、図１に示す各手段を有したパソコン６０を備えて通信ネットワーク６１と接続し、また、７人を１グループとしたサブシステム６２を７個備える。
【０１０８】
すなわち、第１のサブシステム６２ａは、サブリーダのパソコン６３ａと、部員のパソコン６４ａ・・・６９ａとをＬＡＮで接続した構成とする。また、各パソコンとの通信及びデータの記憶を行うサーバ７０ａ等を備えた構成とする。
【０１０９】
さらに、第７のサブシステム６２ｇは、サブリーダのパソコン６３ｇと、部員のパソコン６４ｇ・・・６９ｆｇをＬＡＮで接続した構成とする。また、各パソコンとの通信及びデータの記憶を行うサーバ７０ｇ等を備えた構成とする。
【０１１０】
リーダのパソコン６０は、図３および図４の関連番号―要素組み合わせテーブル２０を備えて図９に示す関連表を表示可能である。
【０１１１】
そして、リーダは、どこのサブシステムで何を検討させるかを決める。例えば、第１のサブシステム６２ａをラインＲｏの各要素について検討すると決め、第２のサブシステム６２ｂをラインＲ１の各要素について検討すると決める。
【０１１２】
第３のサブシステム６２ｃをラインＲ２の各要素について検討すると決め、第４のサブシステム６２ｄをラインＲ３の各要素について検討すると決める。第５のサブシステム６２ｅをラインＲ４の各要素について検討すると決め、第６のサブシステム６２ｆをラインＲ５の各要素について検討すると決め、第７のサブシステム６２ｇをラインＲ６の各要素について検討すると決める。
【０１１３】
つまり、リーダのパソコン６０は、
ライン番号Ｒｏの要素関連テーブル２１ａをサブリーダのパソコン６３ａに送信し、ライン番号Ｒ１の要素関連テーブル２１ｂをサブリーダのパソコン６３ｂに送信する。
【０１１４】
ライン番号Ｒ２の要素関連テーブル２１ｃをサブリーダのパソコン６３ｃに送信し、ライン番号Ｒ３の要素関連テーブル２１ｄをサブリーダのパソコン６３ｄに送信し、ライン番号Ｒ４の要素関連テーブル２１ｅをサブリーダ６３ｅに送信し、ライン番号Ｒ５の要素関連テーブル２１ｆをサブリーダのパソコン６３ｆに送信する。また、ライン番号Ｒ６の要素関連テーブル２１ｇをサブリーダ６３ｇに送信する。
【０１１５】
さらに、図４に示すライン番号Ｒ６の要素関連テーブル２２ａをサブリーダのパソコン６３ｇに送信し、ライン番号Ｒ５の要素関連テーブル２２ｂをサブリーダのパソコン６３ｆに送信し、ライン番号Ｒ４の要素関連テーブル２２ｃをサブリーダのパソコン６３ｅに送信する。また、ライン番号Ｒ３の要素関連テーブル２２ｄをサブリーダのパソコン６３ｄに送信し、ライン番号Ｒ２の要素関連テーブル２２ｅをサブリーダのパソコン６３ｃに送信し、ライン番号Ｒ１の要素関連テーブル２２ｆをサブリーダのパソコン６３ｂに送信し、ライン番号Ｒ０の要素関連テーブル２２ｇをサブリーダのパソコン６３ａに送信する。  すなわち、リーダのパソコン６０は、要素関連テーブルを振り分け送信する機能を有している。例えば、Ｒ１を図３に示すＲ１の要素管理テーブル２２ｂを受領した場合は、そのサブリーダのパソコンには図１７に示すような一覧表を表示する。
【０１１６】
一方、リーダのパソコン６０から要素管理テーブルを受信したサブリーダのパソコン６３は、各担当に検討する要素と要素を決めて送信させる。具体的には、管理番号を一覧表から読み込んで、この管理番号の要素と要素とを新たな条件などを入力して送信させる。
【０１１７】
これによって、部員は検討する項目のみを受領し、メモ帳画面を開いて書き込み結果をサブリーダのパソコンに送信する。
【０１１８】
サブリーダは、各部員のメモを纏めて、適当な形にしてリーダに送信する。
【０１１９】
従って、ネットワークシステムにおいて、各担当部署がリーダに割りあてられたテーマのみを検討し、その結果をリーダに送信できる。このため、担当部門の地域を限定し、地域に応じたテーマを検討できる。
【産業上の利用可能性】
【０１２０】
本発明はＮ２法を活用した思考管理システムに利用できる。
【図面の簡単な説明】
【０１２１】
【図１】本実施の形態の思考管理システムの概略構成図である。
【図２】思考要素関連表の説明図である。
【図３】要素関連テーブルの説明図である。
【図４】要素関連テーブルの説明図である。
【図５】思考管理システムの動作を説明するフローチャートである。
【図６】Ｎ２法表示の説明図である。
【図７】Ｎ２法表示の説明図である。
【図８】思考要素関連表作成・表示手段１３の動作を説明するフローチャートである。
【図９】具体的な要素関連表の説明図である。
【図１０】一覧表示を説明するフローチャートである。
【図１１】一覧表示の説明図である。
【図１２】印刷データ出力手段１５の動作を説明するフローチャートである。
【図１３】印刷カード画面の説明図である。
【図１４】実際に印刷される印刷カードの説明図である。
【図１５】メモ帳画面の説明図である。
【図１６】本実施の形態の思考管理ネットワークシステムの概略構成図である。
【図１７】思考管理ネットワークシステムの各部署で表示される要素管理表を説明する説明図である。
【符号の説明】
【０１２２】
１  パソコン
２  印刷機
５  メモリ
１０  正六角形読込・出力手段
１１  正六角形要素入力・読込手段
１２  条件入力・読込手段
１３  思考要素関連表作成・表示手段
１４  要素関連バー色付け制御手段
１５  印刷データ出力手段
【図１】
2008269425.tif 000003
【図２】
2008269425.tif 000004
【図３】
2008269425.tif 000005
【図４】
2008269425.tif 000006
【図５】
2008269425.tif 000007
【図６】
2008269425.tif 000008
【図７】
2008269425.tif 000009
【図８】
2008269425.tif 000010
【図９】
2008269425.tif 000011
【図１０】
2008269425.tif 000012
【図１１】
2008269425.tif 000013
【図１２】
2008269425.tif 000014
【図１３】
2008269425.tif 000015
【図１４】
2008269425.tif 000016
【図１５】
2008269425.tif 000017
【図１６】
2008269425.tif 000018
【図１７】
2008269425.tif 000019